(57)【特許請求の範囲】
【請求項１】
投入された紙幣を１枚ずつ取り込む受入部と、
前記受入部により取り込まれた紙幣の識別計数を行う識別部と、
前記識別部により識別された紙幣をそれぞれ種類毎に集積する複数の集積部と、
前記受入部と前記集積部との間において紙幣を搬送する搬送部と、
前記集積部に集積された所定枚数の紙幣を結束する結束部と、
前記集積部に集積された紙幣のうち、第１の所定種類の前記所定枚数に満たない端数紙幣を前記集積部から返却し、第２の所定種類の前記所定枚数に満たない端数紙幣を前記集積部に残存させるように制御する制御部と、
を備え、
前記第１の所定種類及び前記第２の所定種類はそれぞれ券種又は金種であることを特徴とする紙幣処理装置。
【請求項２】
端数紙幣返却部へ搬送される端数紙幣の種類又は前記集積部に残存させる端数紙幣の種類の指示を受け付ける指示受付部をさらに備えることを特徴とする請求項１に記載の紙幣処理装置。
【請求項３】
前記制御部は、前記識別部により識別計数された紙幣の種類別枚数に基づいて、端数紙幣返却部へ搬送される端数紙幣の種類又は前記集積部に残存させる端数紙幣の種類を自動設定することを特徴とする請求項１又は２に記載の紙幣処理装置。
【請求項４】
投入された紙幣を筐体の内部に１枚ずつ取り込む取込ステップと、
前記取込ステップで取り込まれた紙幣を識別部で識別計数を行う識別ステップと、
前記識別ステップで識別された紙幣をそれぞれ種類毎に集積する複数の集積部に集積する集積ステップと、
前記集積部に集積された所定枚数の紙幣を結束する結束ステップと、
を備え、
前記集積部に集積された紙幣のうち、第１の所定種類の前記所定枚数に満たない端数紙幣を前記集積部から返却し、第２の所定種類の前記所定枚数に満たない端数紙幣を前記集積部に残存させ、
前記第１の所定種類及び前記第２の所定種類はそれぞれ券種又は金種であることを特徴とする紙幣処理方法。
【請求項５】
前記集積部から返却される端数紙幣の種類又は前記集積部に残存させる端数紙幣の種類の指示を受け付ける指示受付ステップをさらに備えることを特徴とする請求項４に記載の紙幣処理方法。
【請求項６】
前記識別ステップで識別計数された紙幣の種類別枚数に基づいて、前記集積部から返却される端数紙幣の種類又は前記集積部に残存させる端数紙幣の種類を自動設定することを特徴とする請求項４又は５に記載の紙幣処理方法。
【発明の詳細な説明】
【技術分野】
【０００１】
本発明は、紙幣処理装置に関するもので、特に紙幣を識別・計数して種類別に分類し、所定枚数毎に結束を行うものに関する。
【背景技術】
【０００２】
銀行等の金融機関では、回収した紙幣を一定枚数毎に束ねて整理する紙幣処理装置が用いられている。この紙幣処理装置では、例えば複数金種の紙幣が正損混在状態で投入されると、これらの紙幣が一枚ずつ取り込まれて識別され、金種別、正損別に分類されてそれぞれ対応する集積部に集積される。そして、集積部内の紙幣が一定枚数（例えば１００枚）に達すると、この紙幣束は束搬送部により結束手段へ搬送され、紙テープ等の結束材により束ねられて投出される。集積部内の一定枚数に達しない端数紙幣は、束搬送部により端数紙幣返却口に搬送して返却することができる（例えば特許文献１参照）。
【０００３】
このような従来の紙幣処理装置を用いて、取引毎に入金額を確定しながら紙幣を１００枚毎に結束する処理を、複数の取引に対して連続して行う場合、紙幣処理装置内の端数紙幣は、全て残されて次の取引分の紙幣処理が行われるか、又は取引毎に全て返却されていた。なお、ここで１回の取引分の紙幣処理は、例えば上述したような正損混在状態の複数金種の紙幣の投入、取り込み、識別、分類集積、結束及び入金額確定をいうものとする。
【０００４】
端数紙幣を全て残す場合、処理枚数の少ない種類の紙幣が集積部を占有し続け、集積部を効率的に使用することが出来なかった。また、端数紙幣を１取引分の紙幣処理毎に全て返却する場合、複数取引分の紙幣処理に含まれる所定種類の紙幣を効率良く結束することが出来なかった。
【０００５】
このように、上記のような従来の紙幣処理装置では、複数の連続した紙幣処理を効率的に行うことができないという問題を有していた。
【先行技術文献】
【特許文献】
【０００６】
【特許文献１】特開２００６−１０７０２９号公報
【発明の概要】
【発明が解決しようとする課題】
【０００７】
本発明は、複数の連続した紙幣処理を効率良く行うことができる紙幣処理装置を提供することを目的とする。
【課題を解決するための手段】
【０００８】
本発明の一態様による紙幣処理装置は、投入された紙幣を１枚ずつ取り込む受入部と、前記受入部により取り込まれた紙幣の識別計数を行う識別部と、前記識別部により識別された紙幣をそれぞれ種類毎に集積する複数の集積部と、前記受入部と前記集積部との間において紙幣を搬送する第１搬送部と、所定枚数の紙幣を結束する結束部と、前記所定枚数に満たない端数紙幣を返却する端数紙幣返却口と、前記集積部に集積された紙幣のうち、前記所定枚数に達した紙幣を集積状態のまま前記結束部へ搬送し、前記端数紙幣を前記端数紙幣返却口へ搬送する第２搬送部と、第１の所定種類の端数紙幣を前記集積部から前記端数紙幣返却口へ搬送し、第２の所定種類の端数紙幣を前記集積部に残存させるように前記第２搬送部を制御する制御部と、を備えるものである。
【０００９】
本発明の一態様による紙幣処理装置においては、前記端数紙幣返却口へ搬送される端数紙幣の種類又は前記集積部に残存させる端数紙幣の種類の指示を受け付ける指示受付部をさらに備えることが好ましい。
【００１０】
本発明の一態様による紙幣処理装置においては、前記制御部は、前記識別部により識別計数された紙幣の種類別枚数に基づいて、前記端数紙幣返却口へ搬送される端数紙幣の種類又は前記集積部に残存させる端数紙幣の種類を自動設定することが好ましい。
【００１１】
本発明の一態様による紙幣処理装置においては、前記第１の所定種類及び前記第２の所定種類はそれぞれ券種又は金種であることが好ましい。
【発明の効果】
【００１２】
本発明によれば、複数の連続した紙幣処理を効率良く行うことができる。
【図面の簡単な説明】
【００１３】
【図１】本発明の第１の実施形態に係る紙幣処理装置の縦断面図である。
【図２】端数紙幣返却設定を行う表示画面の一例を示す図である。
【図３】端数紙幣返却設定を行う表示画面の一例を示す図である。
【図４】端数紙幣返却設定を行う表示画面の一例を示す図である。
【図５】端数紙幣返却設定を行う表示画面の一例を示す図である。
【図６】本発明の第２の実施形態に係る紙幣処理装置の縦断面図である。
【発明を実施するための形態】
【００１４】
以下、本発明の実施の形態を図面に基づいて説明する。
【００１５】
（第１の実施形態）図１は本発明の第１の実施形態に係る紙幣処理装置の内部構成を模式的に示す縦断面図である。紙幣処理装置１０は、最上部に操作表示部１１を有し、主として前面上部の分類集積部１００、前面下部の紙幣結束部２００、背面の搬送部３００から構成されている。また、紙幣処理装置１０は、分類集積部１００、紙幣結束部２００、搬送部３００の制御を行う制御部１２を備える。
【００１６】
まず、分類集積部１００について説明する。分類集積部１００の前面のほぼ中央部に処理すべき紙幣を受け入れる受入部１０１が設けられ、ここに投入された金種の混合された紙幣は繰り出しローラ１０２、１０３により繰り出され、搬送部１０４により搬送される。
【００１７】
搬送部１０４には識別部１０５が設けられ、ここで金種、正損、表裏等の種別、及び真偽が識別される。また、識別部１０５は種別毎の枚数を計数し、計数結果が操作表示部１１に表示される。搬送部１０４は識別部１０５の先で分岐しており、識別部１０５による識別結果に応じて、識別不能券、偽券等はリジェクト紙幣としてリジェクト部１０６に集積される。
【００１８】
一方、正券で真券のものは、識別部１０５による表裏判定結果に応じて、表裏反転部１０７においてすべての紙幣の表裏面が一致するように表裏反転され、さらに識別部１０５により判定された金種等に基づいて結束対象紙幣を集積する集積部１１１〜１１５のいずれかに集積される。
【００１９】
集積部１１１〜１１５はそれぞれ集積用のステージ１１１ａ〜１１５ａを有しており、これらは図示しない駆動手段で昇降可能とされている。
【００２０】
図１においては、各集積部１１１〜１１５は集積可能な状態として図示されている。すなわち、上側約２／３に設けられた壁部材１１１ｂ〜１１５ｂの下端位置にステージ１１１ａ〜１１５ａが位置しているため、搬送された紙幣は壁部材１１１ｂ〜１１５ｂに当たって停止し、集積される。この際、紙幣の飛び出しを防止し、安定な集積を可能とするために、集積量に応じて回動可能な押さえ板１１１ｃ〜１１５ｃが設けられている。
【００２１】
なお、ステージ１１１ａ〜１１５ａ及び壁部材１１１ｂ〜１１５ｂには後述する搬送部３００のハンド３１３、３１４が自由に通過できる切り欠きが形成されている。
【００２２】
集積対象外の紙幣は搬送部１０４により外部スタッカ１２１及び１２２へ搬送され、集積される。
【００２３】
これらの集積部１１１〜１１５、外部スタッカ１２１及び１２２に対して集積すべき対象を種々設定することができ、様々な処理が可能となる。例えば、金種／正損／新旧等の種類の組み合わせで設定することができる。設定内容は操作表示部１１を介して入力することができる。
【００２４】
操作表示部１１の下方には、集積部１１１〜１１５に集積された紙幣のうち、結束枚数に達しなかった端数紙幣を返却できる端数紙幣返却部１３０が設けられている。端数紙幣は後述する搬送部３００により端数紙幣返却部１３０の返却トレイ１３１へ搬送される。返却トレイ１３１の下面に設けられた突き当て部材１３２の先端部１３２ａが背面より押されることにより返却トレイ１３１が前進し、前面に設けられたシャッター１３３が開いて、返却トレイ１３１が一点鎖線で示された位置まで進むことで、返却トレイ１３１内の端数紙幣を取り出すことができる。
【００２５】
集積部１１１〜１１５に集積された端数紙幣のうち、どの種類の端数紙幣を端数紙幣返却部１３０から返却するかは、予め設定されていてもよいし、操作表示部（指示受付部）１１を介して指示入力してもよい。端数紙幣の返却方法については後述する。
【００２６】
続いて、紙幣結束部２００について説明する。紙幣結束部２００では、集積された紙幣に紙の帯が巻回され、帯封が行われる。
【００２７】
集積部１１１〜１１５に集積された紙幣は所定枚数に達すると、後述する搬送部３００により紙幣結束部２００のセット部２０１へ搬送され、狭持される。
【００２８】
狭持された紙幣の所定箇所に帯封テープを巻回させるための回転機構２０２が設けられ、帯封テープ集積部２０３より取り出された帯封テープ２０４の先端をテープ止め２０５で止め、回転させることにより結束紙幣を得るようになっている。
【００２９】
また、結束後、テープの先端を切るためのカッタ２０６及びその先端部を熱接着するためのヒータ２０７も設けられている。
【００３０】
帯封された結束紙幣はベルト式の搬送機構２０８で結束紙幣投出口２０９に投出されるが、搬送途中には処理を行った金融機関印を帯封上に押印する行名スタンプ部２１０、損券であることを帯封上に押印する損券スタンプ部２１１が設けられている。帯封テープ２０４の繰り出し部には、処理日付、処理時刻、号機番号、本実施形態で特徴的な処理情報、担当者番号などを印字する印字部２１２が設けられている。
【００３１】
続いて、搬送部３００について説明する。搬送部３００は、垂直に設置されたガイド軸３０１、ガイド軸３０１に係合しつつ上下移動可能な昇降ユニット３１０、昇降ユニット３１０を昇降させるための駆動ベルト３０２を有する。
【００３２】
昇降ユニット３１０は、ベルト機構３１１による前進後退可能なブロック３１２を有しており、このブロック３１２は、固定の下ハンド３１３と、ベルト３１６により軸３１５に沿って上下移動する上ハンド３１４とを有している。ハンド３１３、３１４は、集積部１１１〜１１５に集積された紙幣を挟んで取り出し、取り出された紙幣は紙幣結束部２００又は端数紙幣返却部１３０へ搬送される。
【００３３】
制御部１２は、識別部１０５による識別計数結果、集積部１１１〜１１５に集積されている紙幣枚数、端数紙幣の返却設定等に応じて搬送部１０４及び搬送部３００の制御を行う。
【００３４】
このような紙幣処理装置１０を用いて、１取引分の紙幣処理を行う場合の動作の一例を説明する。ここで、１取引分の紙幣処理とは、紙幣の投入、取り込み、識別、分類集積、結束及び入金額確定をいう。投入される紙幣は、例えば正損混在状態の複数金種の紙幣である。
【００３５】
受入部１０１から取り込まれた紙幣は識別部１０５で識別され、リジェクト紙幣はリジェクト部１０６へ搬送される。リジェクト紙幣以外の紙幣のうち結束対象外の紙幣は搬送部１０４により外部スタッカ１２１、１２２へ搬送され、結束対象の紙幣は金種等の種類に応じて集積部１１１〜１１５のいずれかへ搬送部１０４により搬送される。ここで、集積部１１１〜１１５のうち少なくともいずれか１つは、紙幣を搬送しない空の集積部に設定しておく。
【００３６】
集積部１１１〜１１５の集積紙幣枚数が所定枚数（例えば１００枚）に達すると、所定枚数の紙幣束は搬送部３００により紙幣結束部２００へ搬送され、帯封される。
【００３７】
例えば、集積部１１１の集積紙幣枚数が所定枚数に達し、集積部１１５が空の集積部に設定されているとする。搬送部３００が集積部１１１から紙幣束を取り出している間、集積部１１１は新たに紙幣を集積できない。そのため、集積部１１１に集積していた種類の紙幣は集積部１１５に集積される。そして、搬送部３００により集積部１１１から紙幣束が取り出されると、集積部１１１が空の集積部に設定される。
【００３８】
受入部１０１で受け入れられた紙幣がすべて取り込まれると、１取引分の入金額が確定し、紙幣処理が終了する。集積部１１１〜１１５に所定枚数に達しない紙幣（端数紙幣）が残留している場合、搬送部３００が集積部１１１〜１１５の各々から端数紙幣を取り出して端数紙幣返却部１３０へ搬送することで、端数紙幣を取り出すことができる。
【００３９】
本実施形態では、どの種類の端数紙幣を集積部１１１〜１１５に残しておき、どの種類の紙幣を端数紙幣返却部１３０から返却するかを設定することができる。従って、搬送部３００は、返却設定されている種類の端数紙幣のみ、端数紙幣返却部１３０へ搬送する。
【００４０】
返却設定されていない種類の端数紙幣は集積部１１１〜１１５に残したままで、次の取引分の紙幣処理が続けて行われる。
【００４１】
複数取引分の紙幣処理を連続して行う場合の各集積部の集積枚数の変遷及び操作表示部１１の表示画面について説明する。ここでは、１ドル、２ドル、５ドル、１０ドル、２０ドル、５０ドル、１００ドルの７金種を含む紙幣を処理し、２ドル紙幣はリジェクト部１０６、５ドル紙幣は外部スタッカ１２２、１０ドル紙幣は外部スタッカ１２１へ搬送され、１ドル紙幣、２０ドル紙幣、５０ドル紙幣及び１００ドル紙幣は金種別に集積部１１１〜１１５のいずれかへ搬送されるものとする。
【００４２】
なお、返却紙幣の設定は、各取引の紙幣処理終了毎に行うものとする。また、結束枚数は１００枚とする。
【００４３】
表１に示すように、第１取引では、１ドル紙幣５０枚、２ドル紙幣１枚、５ドル紙幣２０枚、１０ドル紙幣１０枚、２０ドル紙幣６０枚、５０ドル紙幣１５枚、１００ドル紙幣１０枚が投入され、識別部１０５の識別結果に基づいて、集積部１１１〜１１４、外部スタッカ１２１、１２２、リジェクト部１０６へ搬送され、集積される。集積部１１５は空となるように設定されている。
【表１】
0005631571.tif 000002
【００４４】
図示しないが、操作表示部１１には、第１取引分に対応する紙幣の金種毎の枚数、金額、合計枚数、合計金額が表示される。操作者は、表示された識別結果を確認し、入金確定ボタンを押して、入金確定を行う。
【００４５】
入金確定後、操作表示部１１には、図２に示すように、紙幣処理装置１０の中にある金種毎の集積枚数が表示され、端数紙幣の返却設定を行うことができるようになる。金種キー５０１を押すことで、返却したい金種を指定することができる。金種キー５０１を押した後に返却キー５０２を押すことで、指定された端数紙幣が返却される。
【００４６】
具体的には、制御部１２が、押された金種キー５０１に対応する金種の端数紙幣を取り出して端数紙幣返却部１３０へ搬送するように搬送部３００を制御する。
【００４７】
金種キー５０１を押した後に取り消しキー５０３を押すことで、返却紙幣の金種指定を取り消すことができる。また、完了キー５０４を押すことで、返却設定の受け付けを終了し、次の取引分の入金処理を待機する状態になる。
【００４８】
図２に示す例では、第１取引分の入金処理終了後に、端数紙幣の返却は行わずに、次の第２取引分の入金処理に進む。
【００４９】
表２に示すように、第１取引に続いて行われる第２取引では、１ドル紙幣３０枚、５ドル紙幣５枚、１０ドル紙幣１０枚、２０ドル紙幣５０枚、５０ドル紙幣５枚、１００ドル紙幣２０枚が投入される。
【表２】
0005631571.tif 000003
【００５０】
２０ドル紙幣は第１取引で６０枚投入されており、第２取引の５０枚が投入されると１００枚を超える。そのため、第２取引の５０枚のうち４０枚は集積部１１２に搬送され、集積部１１２の集積枚数が１００枚になると、残りの１０枚は集積部１１５へ搬送される。集積部１１２の１００枚の２０ドル紙幣は搬送部３００により紙幣結束部２００へ搬送され、結束される。
【００５１】
入金確定後、操作表示部１１には、図３に示すように、紙幣処理装置１０の中にある金種毎の集積枚数が表示され、紙幣の返却設定を行うことができるようになる。
【００５２】
金種キー５０１で、５０ドル紙幣と１００ドル紙幣とを返却紙幣として指定し、返却キー５０２を押すことで、集積部１１３内の２０枚の５０ドル紙幣と集積部１１４内の３０枚の１００ドル紙幣が端数紙幣返却部１３０から返却される。
【００５３】
紙幣返却後、操作表示部１１の表示画面は図４に示すようになる。
【００５４】
表３に示すように、第２取引に続いて行われる第３取引では、１ドル紙幣５０枚、５ドル紙幣５枚、１０ドル紙幣１０枚、２０ドル紙幣５０枚、５０ドル紙幣１０枚、１００ドル紙幣５枚が投入される。２０ドル紙幣は第２取引分の紙幣処理時に搬送先が集積部１１５に変更されているため、集積部１１５へ搬送される。
【表３】
0005631571.tif 000004
【００５５】
１ドル紙幣は第２取引分の紙幣処理終了時点で集積部１１１に８０枚投入されており、第３取引の５０枚が投入されると１００枚を超える。そのため、第３取引の５０枚のうち２０枚は集積部１１１に搬送され、集積部１１１の集積枚数が１００枚になると、残りの３０枚は空になっている集積部１１２へ搬送される。集積部１１１の１００枚の１ドル紙幣は搬送部３００により紙幣結束部２００へ搬送され、結束される。
【００５６】
入金確定後、操作表示部１１には、図５に示すように、紙幣処理装置１０の中にある金種毎の集積枚数が表示され、紙幣の返却設定を行うことができるようになる。
【００５７】
このように、本実施形態では、集積部１１１〜１１５に集積されている端数紙幣を、紙幣の種類毎に、集積部に残して次の取引分の紙幣処理を行うか、又は取引毎に返却するかを設定することができる。
【００５８】
処理枚数の少ない種類の紙幣を返却することで、当該種類の紙幣が集積部を占有し続けることを防止し、集積部を効率的に使用することが出来る。また、端数紙幣を残しておくことで、複数取引分の紙幣処理に含まれる所望の種類の紙幣を効率良く結束することが出来る。
【００５９】
このように、本実施形態に係る紙幣処理装置により、複数の連続した取引分の紙幣処理を効率的に行うことができる。
【００６０】
上記実施形態において、端数紙幣の返却設定画面は、金種や枚数だけでなく、各金種がどこに集積されているかを表示してもよい。また、金種でなく、端数紙幣を返却する集積部を指定できるようにしてもよい。
【００６１】
（第２の実施形態）図６は本発明の第２の実施形態に係る紙幣処理装置の内部構成を模式的に示す縦断面図である。紙幣処理装置４００は、受入部４０１、搬送部４０２、識別部４０３、反転機構４０４、リジェクト部４０５ａ、４０５ｂ、４０５ｃ、外部スタッカ４０６ａ〜４０６ｆ、集積部４０７ａ〜４０７ｃ、束搬送部４０８、端数紙幣返却部４０９、紙幣結束部４１０、結束紙幣収納部４１１、及び制御部４２０を備える。また、紙幣処理装置４００は、図示しない操作表示部を備える。
【００６２】
受入部４０１は、操作者によって載置された紙幣を１枚ずつ紙幣処理装置４００の筐体の内部に取り込むようになっている。
【００６３】
搬送部４０２は、紙幣処理装置４００の筐体の内部に設けられており、受入部４０１によって取り込まれた紙幣を搬送する。搬送部４０２は制御部４２０に従って紙幣の搬送を行う。
【００６４】
この搬送部４０２は例えば、ベルト搬送機構が組み合わされたものからなる。ベルト搬送機構は、一対または３以上のローラおよび各ローラに張架された例えばゴムベルトから構成されている。
【００６５】
識別部４０３は、搬送部４０２に介設されており、搬送部４０２によって搬送される紙幣の金種、真偽、正損、表裏等の判別や計数等を行うと共に、複数の紙幣が重なって取り込まれた状態（重送状態）等の搬送異常を検出するようになっている。識別部４０３は識別計数結果を制御部４２０へ出力する。
【００６６】
搬送部４０２は識別部４０３の先で分岐されており、識別部４０３の識別結果に応じてリジェクト紙幣はリジェクト部４０５ａ、４０５ｂへ搬送され、集積される。リジェクト部４０５ａ、４０５ｂにはリジェクト紙幣がリジェクト要因別に搬送される。例えば、リジェクト部４０５ａには搬送異常のリジェクト紙幣が搬送され、リジェクト部４０５ｂには金種識別異常及び真偽識別異常のリジェクト紙幣が搬送される。
【００６７】
一方、リジェクト紙幣でない紙幣は反転機構４０４において、識別部４０３による表裏判定結果に応じて、すべての紙幣の表裏面が一致するように表裏反転される。表裏面が一致するように表裏反転された紙幣のうち、結束対象でない紙幣は識別部４０３により判定された金種等に基づいて外部スタッカ４０６ａ〜４０６ｆのいずれかに集積される。
【００６８】
結束対象紙幣は集積部４０７ａ〜４０７ｃのいずれかへ搬送される。集積部４０７ａ〜４０７ｃの各々の紙幣受入口には、搬送されてきた紙幣の枚数を検出するセンサ（図示せず）が設けられており、このセンサは集積部４０７ａ〜４０７ｃに集積されている紙幣の枚数を制御部４２０へ出力する。集積部４０７ａ〜４０７ｃの集積枚数が所定枚数に達すると、束搬送部４０８が当該集積部に集積されている紙幣束を取り出し、紙幣結束部４１０へ搬送する。
【００６９】
集積部４０７ａ〜４０７ｃのうち、いずれか１つは紙幣が搬送されないように、つまり空になるように設定されている。束搬送部４０８が集積部から紙幣束を取り出している時、当該集積部は紙幣を受け入れることができないため、空になっている集積部へ搬送され、集積される。
【００７０】
紙幣結束部４１０へ搬送された紙幣束は、帯封処理され、結束紙幣収納部４１１に収納される。
【００７１】
また、束搬送部４０８は集積部４０７ａ〜４０７ｃ内の端数紙幣を端数紙幣返却部４０９へ搬送することができる。端数紙幣返却部４０９は例えばオープンポケットである。
【００７２】
集積部４０７ａ〜４０７ｃ、束搬送部４０８、紙幣結束部４１０の構成は、上記第１の実施形態における集積部１１１〜１１５、搬送部３００、紙幣結束部２００と同様の構成になっているため、詳しい説明は省略する。
【００７３】
制御部４２０は、識別部４０３の識別結果、集積部４０７ａ〜４０７ｃの紙幣集積枚数、端数紙幣の返却設定等に応じて搬送部４０２及び束搬送部４０８の制御を行う。
【００７４】
このような紙幣処理装置４００の動作の一例について説明する。受入部４０１から取り込まれた紙幣は識別部４０３で識別され、リジェクト紙幣はリジェクト部４０５ａ又は４０５ｂへ搬送される。
【００７５】
リジェクト紙幣以外の紙幣のうち結束対象外の紙幣は搬送部４０２により金種等の種類に応じて外部スタッカ４０６ａ〜４０６ｆのいずれかへ搬送され、結束対象の紙幣は搬送部４０２により集積部４０７ａ〜４０７ｃのいずれかへ搬送される。ここで、集積部４０７ａ〜４０７ｃのいずれか１つを、紙幣を搬送しない空の集積部に設定しておく。
【００７６】
集積部４０７ａ〜４０７ｃのいずれかの集積紙幣枚数が所定枚数（例えば１００枚）に達すると、所定枚数の紙幣束は束搬送部４０８により紙幣結束部４１０へ搬送され、帯封される。帯封された紙幣束は結束紙幣収納部４１１に収納される。
【００７７】
受入部４０１で受け入れられた紙幣がすべて取り込まれ、入金確定により紙幣処理が終了すると、集積部４０７ａ〜４０７ｃ内の端数紙幣の返却設定を行うことができるようになる。
【００７８】
返却設定は上記第１の実施形態と同様であり、操作者は操作表示部（図示せず）を介して、返却紙幣の種類を指定することができる。制御部４２０は、指定された種類の端数紙幣を集積部４０７ａ〜４０７ｃから取り出し、端数紙幣返却部４０９へ搬送するように束搬送部４０８を制御する。これにより、所望の種類の端数紙幣を容易に取り出すことができる。
【００７９】
このように、本実施形態は、上記第１の実施形態と同様に、集積部に集積されている端数紙幣を、紙幣の種類毎に、集積部に残して次の取引分の紙幣処理を行うか、又は取引毎に返却するかを設定することができるため、複数の連続した取引分の紙幣処理を効率的に行うことができる。
【００８０】
上記第１の実施形態及び第２の実施形態において、返却する端数紙幣の種類は１取引毎に指定してもよいし、予め返却する金種、あるいは残す金種を設定しておいて取引の終了後に自動的に設定された金種の返却処理を行うように初期設定していてもよいし、複数取引分の紙幣処理における識別結果に基づいて、処理枚数の少なかった種類を返却端数紙幣として装置が自動設定してもよい。
【００８１】
返却する端数紙幣の種類には様々なものを設定することができ、例えば、通貨種別、金種、新旧、シリーズ、発行銀行等により区別され得る券の種類（券種）を設定することができる。
【００８２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８３】
１０  紙幣処理装置
１１  操作表示部
１２  制御部
１０５  識別部
１１１〜１１５  集積部
１３０  端数紙幣返却部
２００  紙幣結束部
３００  搬送部
【図１】
0005631571.tif 000005
【図２】
0005631571.tif 000006
【図３】
0005631571.tif 000007
【図４】
0005631571.tif 000008
【図５】
0005631571.tif 000009
【図６】
0005631571.tif 000010